(57)【要約】【課題】  外観上の見栄えを崩すこと無く遠心分離室内の塵埃が容易に見渡せる窓部を設け勝手の良い電気掃除機を提供することを目的とする。【解決手段】  遠心分離室１１３と塵埃通路９０１を１部品で構成すると共に、該部品を透明材料で形成する。遠心分離室１１３と塵埃通路９０１を兼ねている外壁９０２は２重壁で構成され、外観から遠心分離室１１３内部が容易に見渡せる窓部６０１を設けた。【選択図】  図６
2005160885.tif 000002
【特許請求の範囲】
【請求項１】
本体内部に電動送風機を内蔵し、吸引した塵埃を吸気流の旋回流で遠心分離する遠心分離室を上部に設け、塵埃集塵室を下部に設け、各々を着脱自在に設けた電気掃除機において、
前記遠心分離室と前記塵埃通路は１部品で構成すると共に、該部品を透明材料で形成し、かつ前記遠心分離室と前記塵埃通路を兼ねている外壁は２重壁で構成され、外観から前記遠心分離室内部が容易に見渡せる窓部を設けたことを特徴とする電気掃除機。
【請求項２】
請求項１において、
前記窓部は、外壁と遠心分離室の当接部の形状に沿わせたことを特徴とする電気掃除機。
【請求項３】
請求項１又は２において、
前記窓部の設置角度は、前記遠心分離室の中心軸方向に対し１０度以内に設けたことを特徴とする電気掃除機。
【発明の詳細な説明】
【技術分野】
【０００１】
本発明は、電気掃除機に関するものである。
【背景技術】
【０００２】
従来、吸引した塵埃を吸気流の旋回流で遠心分離する掃除機の遠心分離室を図９に示す。遠心分離室１１３の部屋は筒形とし、遠心分離室１１３の外側に塵埃通路９０１を設け１部品で構成し前記部品は透明材料で形成していた。遠心分離室１１３と外壁９０２は接するように配置され、前面側は２重壁の一部が正接し（以下 当接部９０３と説明する）、内部が見渡せるように遠心分離室１１３が外側にくる構成になっており、遠心分離室１１３内で旋回する塵埃は外観から容易に見渡せるように構成されていた。
【０００３】
このような掃除機は、例えば特許文献１に開示されている。
【０００４】
【特許文献１】特開２００３−９３２９２号公報
【発明の開示】
【発明が解決しようとする課題】
【０００５】
図９に示す如く、遠心分離室１１３の部屋は筒形とし、遠心分離室１１３の外側に塵埃通路９０１を設け１部品で構成し前記部品は透明材料で形成していた。遠心分離室１１３と外壁８０２は接するように配置し、前面側は２重壁の一部が正接し、遠心分離室１１３が外側にくる構成になっており、遠心分離室１１３内で旋回する塵埃は外観から容易に見渡せるように構成されていた。そのため、外壁９０２と遠心分離室１１３の当接部９０３は当接していない面に対し、色相が異なり（濃くなり）、また左右非対称に見え外観上見栄えが良くなかった。
【０００６】
これらの問題を解決する手段として、遠心分離室１１３が容易に見渡せる遠心分離室の壁面に窓部を設けることより見栄えを向上することができる。
本発明の目的は、上記問題に基づいてなされたものであり、外観を損なうこと無く使い勝手を良くさせる電気掃除機を提供することにある。
【課題を解決するための手段】
【０００７】
上記目的を達成するために請求項１の電気掃除機は、本体内部に電動送風機を内蔵し、吸引した塵埃を吸気流の旋回流で遠心分離する遠心分離室を上部に設け、塵埃集塵室を下部に設け、各々を着脱自在に設けた電気掃除機において、前記遠心分離室と前記塵埃通路は１部品で構成すると共に、該部品を透明材料で形成し、かつ前記遠心分離室と前記塵埃通路を兼ねている外壁は２重壁で構成され、外観から前記遠心分離室内部が容易に見渡せる窓部を設けたことを特徴とする。
【０００８】
請求項２の電気掃除機は、窓部を外壁と遠心分離室の当接部の形状に沿わせたことを特徴とする。
【０００９】
請求項３の電気掃除機は、窓部の設置角度を、遠心分離室の中心軸方向に対し１０度以内に設けたことを特徴とする。
【発明の効果】
【００１０】
本発明の請求項１によれば、遠心分離室と前記塵埃通路は１部品で構成すると共に、該部品を透明材料で形成し、かつ前記遠心分離室と前記塵埃通路を兼ねている外壁は２重壁で構成され、外観から前記遠心分離室内部が容易に見渡せる窓部を設けたので、外観上の見栄えを崩すこと無く遠心分離室が容易に見渡せる勝手の良い電気掃除機を提供することができる。
【００１１】
本発明の請求項２によれば、外観から遠心分離室内部が容易に見渡せる窓部は、外壁と遠心分離室の当接部の形状に沿わせたことにより、当接し色相が濃くなる部分が、前記、窓部の枠にあたり外観上の見栄えを向上させる。また、当接し色相が濃くなる部分が少なくなることで、透明部品で困難とされる色合わせが容易にできる。
【００１２】
本発明の請求項３によれば、外観から遠心分離室内部が容易に見渡せる窓部の設置角度を、遠心分離室の中心軸方向に対し１０度以内に設けることで遠心分離室の略円柱形状を保ち遠心分離性能を低下させずに見栄えを向上させることができる。
【発明を実施するための最良の形態】
【００１３】
以下、本発明の実施形態を図１と図２を用いて説明する。掃除機本体１０１の上方にはダストカップ１０２、下方には吸口１０３を備え、ダストカップ１０２は伸縮ホース１０４と接続されている。
【００１４】
ダストカップ１０２は塵埃の溜まり具合が分かるように透明材料にて形成されており、塵埃が溜まった時・吸込みが弱くなった時にはプッシュクランプ１０５を押しながら取り外し洗浄することができる。また掃除機本体には、塵埃が溜まった場合に動作し、電動送風機１０６の発熱を防止するためにバイパスバルブ(図示せず)を設けている。
【００１５】
掃除機本体には掃除の際に使用するハンドル１０７が接続されており、ハンドルストッパー１０８のロックを解除することで、図１の如く折りたためる様に回動部を設けてあり、収納スペースを小さくすることができる。またハンドル１０７の上部には掃除機の運転および停止を制御するスイッチ１０９を設けている。
【００１６】
また、掃除機本体の持ち運びに使用する本体ハンドル１１０は掃除機本体１０１と別体で設けており、掃除機本体１０１に収納できるように設けている。
【００１７】
図３は掃除機運転時の吸気と排気の流れを示している。電動送風機１０６からの吸気流は、吸口１０３から塵埃と共に吸込まれ、継ぎ手Ｌ１１１，継ぎ手Ｕ１１２を通り伸縮ホース１０４を介してダストカップ１０２に入る。遠心分離室１１３にて塵埃と空気に回転分離され塵埃通過口３０１を通り塵埃集塵室１１４に堆積される。一方、電動送風機１０６からの排気流は、吸口排気口１１５と本体排気口１１６に分岐される。本体排気口１１６に向う排気流の一部はコードリール室１１７に入り電源コード１１８を冷却する。また、吸口排気口１１５に向う排気流は継ぎ手Ｕ１１２、継ぎ手Ｌ１１１を通り、吸口排気口１１５から吸口内部に排出される。
【００１８】
図４は吸口中央断面図であり、前記継ぎ手Ｌ１１１は下ケース４０１、上ケース４０２にて挟まれて、回動可能となっている。下ケース４０１と上ケース４０２の間にはインナーケース４０３が設置されており、排気流路４０４を形成すると共に放電ブラシ４０５を挟み込んで固定している。４０６は塵埃の掻き揚げおよび掃除面の乾拭き等を行う回転ブラシであり、アルミニウム等の金属で形成した溝にやわらかい刷毛と硬い刷毛を交互に配置している。また、前記回転ブラシには回転接触により静電気を発生させるための静電ブラシ４０７が左右両端に設けられており、吸口接触面４０８に回転接触させることで、静電気を発生させる構造となっている。また静電ブラシ４０７は、静電気発生と同時に吸口接触面４０８と反対側に設置されている放電ブラシ４０５を叩くことで、マイナスイオンが気中放電される。吸口の左右両端に前記放電ブラシ４０５を設けることで、吸口１０３の開口部全体にマイナスイオンを散らすことができる。
また、吸口排気口１１５を放電ブラシ４０５近傍に構成することで、排気流を生かし被掃除面にまでマイナスイオンが届く構造となっている。
【００１９】
図５はダストカップ１０２を掃除機本体１０１から取り外した状態を表している。ダストカップ１０２は大きく分けて上段部分の遠心分離室１１３と下段部分の塵埃集塵室１１４から構成しており遠心分離室１１３には掃除機本体１０１と着脱自在にプッシュクランプ１０５を設けている。また、遠心分離室１１３へ塵埃を含んだ空気が流入する塵埃吸入口５０１は遠心分離室１１３の下部に設けており、図３で説明したように塵埃通過口３０１が遠心分離室１１３の上端部に設けてあるので、旋回流は遠心分離室１１３内部で竜巻の如く下から上へ巻き上がり、塵埃集塵室１１４に堆積する。
【００２０】
図６、図７、図８に本発明の実施形態にかかるダストカップの遠心分離室外観図及び断面図を示す。遠心分離室１１３は外壁９０２に正接するように配置され、当接部９０３（遠心分離室１１３と外壁９０２が接する部分）は成形部品の厚みがあり外観から見ると色が濃く見える。また、遠心分離室１１３が容易に見渡せる窓部６０１の枠部６０２を当接部９０３の形状に沿わせており、当接し色相が濃くなる部分を目立たなくさせている。また、窓部６０１は、遠心分離室の中心軸７０１に対し１０度以内に当接角度を決めている。前記、窓部６０１の当接角度は遠心分離性能を低下させないために、遠心分離室１１３の略円柱形状を保ち、見栄えを向上させている。
【００２１】
また、当接部９０３に対し、飾り枠８０１を設け、外観からの色が濃く見えてしまう当接部９０３及び、遠心分離室１１３が容易に見渡せる窓部６０１が明確に区別できる。また、上記構成により当接部９０３は左右対称に見え、外観の見栄えを向上させている。
【００２２】
このように掃除機本体１０１、ダストカップ１０２、吸口１０３を構成すると、遠心分離機構を有する集塵室の構成が簡単にでき、効果的に塵埃の遠心分離が可能で使い勝手に優れた電気掃除機を提供することができる。また、前述したように外観から遠心分離室内部が容易に見渡せる窓部を設け、前記窓部は外壁と遠心分離室の当接部の形状に沿わせたことにより、外観からの色が濃く見えてしまう当接部及び遠心分離室を容易に見渡せる窓部が明確に区別できる。また、前記窓部の設置角度を、遠心分離室の中心軸方向に対し１０度以内に設けることで遠心分離室の略円柱形状を保ち遠心分離性能を低下させずに見栄えを向上させ使い勝手の良い縦形電気掃除機を提供することができる。
【図面の簡単な説明】
【００２３】
【図１】本発明の実施形態にかかる電気掃除機の断面図（１）である。
【図２】本発明の実施形態にかかる電気掃除機の外観側面図である。
【図３】本発明の実施形態にかかる電気掃除機の断面図（２）である。
【図４】本発明の実施形態にかかる吸口の断面図である。
【図５】本発明の実施形態にかかるダストカップの外観図である。
【図６】本発明の実施形態にかかるダストカップの遠心分離室外観図（１）である。
【図７】本発明の実施形態にかかるダストカップの断面図である。
【図８】本発明の実施形態にかかるダストカップの遠心分離室外観図（２）である。
【図９】従来電気掃除機のダストカップの遠心分離室外観図である。
【符号の説明】
【００２４】
１０１…掃除機本体、１０３…吸口、１１３…遠心分離室、１１４…塵埃集塵室、５０１…塵埃吸入口、６０１…窓部、９０１…塵埃通路、９０２…外壁、９０３…当接部。
【図１】
2005160885.tif 000003
【図２】
2005160885.tif 000004
【図３】
2005160885.tif 000005
【図４】
2005160885.tif 000006
【図５】
2005160885.tif 000007
【図６】
2005160885.tif 000008
【図７】
2005160885.tif 000009
【図８】
2005160885.tif 000010
【図９】
2005160885.tif 000011